(57)【特許請求の範囲】
【請求項１】
情報処理装置と２以上のテレビ会議端末装置とを具備するテレビ会議システムであって、
前記情報処理装置は、
広告を含む情報である広告情報を１以上格納し得る広告情報格納部と、
広告を出力するための条件である広告出力条件を格納し得る広告出力条件格納部と、
前記２以上の各テレビ会議端末装置が、前記広告出力条件を満たすか否かを判断する判断部と、
前記判断部が広告出力条件を満たすとの判断である場合、前記広告情報格納部から出力する広告を取得する広告取得部と、
前記２以上のテレビ会議端末装置のうち、いずれか１以上のテレビ会議端末装置に、前記広告取得部が取得した広告を送信する広告送信部とを具備し、
前記テレビ会議端末装置は、
映像を取得する映像取得部と、
音声を取得する音声取得部と、
前記映像を送信する映像送信部と、
前記音声を送信する音声送信部と、
１以上の他のテレビ会議端末装置から送信された映像を受信する映像受信部と、
前記映像受信部が受信した映像を出力する映像出力部と、
１以上の他のテレビ会議端末装置から送信された音声を受信する音声受信部と、
前記音声受信部が受信した音声を出力する音声出力部と、
前記情報処理装置が送信した広告を受信する広告受信部と、
前記広告受信部が受信した広告を出力する広告出力部とを具備し、
前記広告出力条件は、
前記テレビ会議端末装置で出力されている映像に関する条件を示す出力映像条件であるテレビ会議システム。
【請求項２】
前記出力映像条件は、
予め決められた時間、前記テレビ会議端末装置で出力されている映像に変化がないことである請求項１記載のテレビ会議システム。
【請求項３】
情報処理装置と２以上のテレビ会議端末装置とを具備するテレビ会議システムであって、
前記情報処理装置は、
広告を含む情報である広告情報を１以上格納し得る広告情報格納部と、
広告を出力するための条件である広告出力条件を格納し得る広告出力条件格納部と、
前記２以上の各テレビ会議端末装置が、前記広告出力条件を満たすか否かを判断する判断部と、
前記判断部が広告出力条件を満たすとの判断である場合、前記広告情報格納部から出力する広告を取得する広告取得部と、
前記２以上のテレビ会議端末装置のうち、いずれか１以上のテレビ会議端末装置に、前記広告取得部が取得した広告を送信する広告送信部とを具備し、
前記テレビ会議端末装置は、
映像を取得する映像取得部と、
音声を取得する音声取得部と、
前記映像を送信する映像送信部と、
前記音声を送信する音声送信部と、
１以上の他のテレビ会議端末装置から送信された映像を受信する映像受信部と、
前記映像受信部が受信した映像を出力する映像出力部と、
１以上の他のテレビ会議端末装置から送信された音声を受信する音声受信部と、
前記音声受信部が受信した音声を出力する音声出力部と、
前記情報処理装置が送信した広告を受信する広告受信部と、
前記広告受信部が受信した広告を出力する広告出力部とを具備し、
前記広告出力条件は、
前記２以上のテレビ会議端末装置のうちの、予め決められた数のテレビ会議端末装置が通信できない状態であることであるテレビ会議システム。
【請求項４】
情報処理装置と２以上のテレビ会議端末装置とを具備するテレビ会議システムであって、
前記情報処理装置は、
広告を含む情報である広告情報を１以上格納し得る広告情報格納部と、
広告を出力するための条件である広告出力条件を格納し得る広告出力条件格納部と、
前記２以上の各テレビ会議端末装置が、前記広告出力条件を満たすか否かを判断する判断部と、
前記判断部が広告出力条件を満たすとの判断である場合、前記広告情報格納部から出力する広告を取得する広告取得部と、
前記２以上のテレビ会議端末装置のうち、いずれか１以上のテレビ会議端末装置に、前記広告取得部が取得した広告を送信する広告送信部とを具備し、
前記テレビ会議端末装置は、
映像を取得する映像取得部と、
音声を取得する音声取得部と、
前記映像を送信する映像送信部と、
前記音声を送信する音声送信部と、
１以上の他のテレビ会議端末装置から送信された映像を受信する映像受信部と、
前記映像受信部が受信した映像を出力する映像出力部と、
１以上の他のテレビ会議端末装置から送信された音声を受信する音声受信部と、
前記音声受信部が受信した音声を出力する音声出力部と、
前記情報処理装置が送信した広告を受信する広告受信部と、
前記広告受信部が受信した広告を出力する広告出力部とを具備し、
前記情報処理装置は、
テレビ会議の開始時刻を含む会議情報を格納し得る会議情報格納部をさらに具備し、
前記広告出力条件は、
現在時刻が、前記会議情報に含まれる開始時刻の前の時刻であることであるテレビ会議システム。
【請求項５】
情報処理装置と２以上のテレビ会議端末装置とを具備するテレビ会議システムであって、
前記情報処理装置は、
広告を含む情報である広告情報を１以上格納し得る広告情報格納部と、
広告を出力するための条件である広告出力条件を格納し得る広告出力条件格納部と、
前記２以上の各テレビ会議端末装置が、前記広告出力条件を満たすか否かを判断する判断部と、
前記判断部が広告出力条件を満たすとの判断である場合、前記広告情報格納部から出力する広告を取得する広告取得部と、
前記２以上のテレビ会議端末装置のうち、いずれか１以上のテレビ会議端末装置に、前記広告取得部が取得した広告を送信する広告送信部とを具備し、
前記テレビ会議端末装置は、
映像を取得する映像取得部と、
音声を取得する音声取得部と、
前記映像を送信する映像送信部と、
前記音声を送信する音声送信部と、
１以上の他のテレビ会議端末装置から送信された映像を受信する映像受信部と、
前記映像受信部が受信した映像を出力する映像出力部と、
１以上の他のテレビ会議端末装置から送信された音声を受信する音声受信部と、
前記音声受信部が受信した音声を出力する音声出力部と、
前記情報処理装置が送信した広告を受信する広告受信部と、
前記広告受信部が受信した広告を出力する広告出力部とを具備し、
前記映像出力部は、
前記１以上の他のテレビ会議端末装置からの映像を、それぞれ異なる領域に出力し、
前記広告出力部は、
前記通信できない状態にある１以上のテレビ会議端末装置からの映像を出力する領域に、前記広告を出力するテレビ会議システム。
【請求項６】
前記映像出力部は、
前記１以上の他のテレビ会議端末装置からの映像を、それぞれ異なる領域に出力し、
前記広告出力部は、
前記通信できない状態にある１以上のテレビ会議端末装置からの映像を出力する領域に、前記広告を出力する請求項１から請求項４いずれか記載のテレビ会議システム。
【請求項７】
前記広告出力部は、
前記広告を、会議参加者が出力される領域の全面に出力する請求項１から請求項４いずれか記載のテレビ会議システム。
【請求項８】
前記情報処理装置は、
会議の内容を示す会議内容情報を含む会議情報を格納し得る会議情報格納部をさらに具備し、
前記広告取得部は、
前記会議内容情報から、用語を取得する用語取得手段と、
前記用語取得手段が取得した用語を用いて、広告を取得する広告取得手段とを具備する請求項１から請求項７いずれか記載のテレビ会議システム。
【請求項９】
前記広告情報は、
用語と対応付けられた広告を有し、
前記広告取得手段は、
前記用語取得手段が取得した用語に対応する広告を取得する請求項８記載のテレビ会議システム。
【請求項１０】
前記広告情報は、
用語と対応付けられた広告を有し、
前記広告取得手段は、
前記用語取得手段が取得した用語に対応しない広告を取得する請求項８記載のテレビ会議システム。
【請求項１１】
前記広告取得部は、
会議参加者の性別を示す性別情報を１以上、取得する性別決定手段と、
前記性別決定手段が取得した２以上の性別情報を用いて、広告を取得する広告取得手段とを具備する請求項１から請求項１０いずれか記載のテレビ会議システム。
【請求項１２】
前記情報処理装置は、
前記２以上のテレビ会議端末装置から映像を受信するサーバ側映像受信部をさらに具備し、
前記性別決定手段は、
前記サーバ側映像受信部が受信した２以上の各映像から、１以上の性別情報を取得する請求項１１記載のテレビ会議システム。
【請求項１３】
前記テレビ会議端末装置は、
会議の参加者が入力する入力情報を受け付ける入力情報受付部と、
前記入力情報を送信する入力情報送信部と、
他のテレビ会議端末装置から入力情報を受信する入力情報受信部と、
前記入力情報を出力する入力情報出力部をさらに具備し、
前記情報処理装置は、
前記入力情報を受信するサーバ側入力情報受信部をさらに具備し、
前記広告取得部は、
前記入力情報から、用語を取得する用語取得手段と、
前記用語取得手段が取得した用語を用いて、広告を取得する広告取得手段とを具備する請求項１から請求項１２いずれか記載のテレビ会議システム。
【請求項１４】
前記テレビ会議端末装置は、
広告を出力するか否かを示す指示情報を受け付ける指示情報受付部と、
前記指示情報を蓄積する指示情報蓄積部とをさらに具備し、
前記指示情報が広告を出力しない旨を示す情報である場合、前記広告出力部は、広告を出力しない請求項１から請求項１３いずれか記載のテレビ会議システム。
【請求項１５】
前記広告情報は、
広告が出力されることが必須であるか否かを示すフラグを含み、
前記広告出力部は、
前記指示情報が広告を出力しない旨を示す情報である場合でも、出力されることが必須であるフラグと対になる広告は出力する請求項１４記載のテレビ会議システム。
【請求項１６】
請求項１から請求項１５いずれか記載のテレビ会議システムを構成する情報処理装置。
【請求項１７】
広告を含む情報である広告情報を１以上格納し得る広告情報格納部と、
広告を出力するための条件である広告出力条件を格納し得る広告出力条件格納部と、
２以上の各テレビ会議端末装置が、前記広告出力条件を満たすか否かを判断する判断部と、
前記判断部が広告出力条件を満たすとの判断である場合、前記広告情報格納部から出力する広告を取得する広告取得部と、
前記２以上のテレビ会議端末装置のうち、いずれか１以上のテレビ会議端末装置に、前記広告取得部が取得した広告を送信する広告送信部とを具備し、
前記広告出力条件は、
前記テレビ会議端末装置で出力されている映像に関する条件を示す出力映像条件、または前記２以上のテレビ会議端末装置のうちの、予め決められた数のテレビ会議端末装置が通信できない状態であること、または現在時刻が、格納されている会議情報に含まれる開始時刻の前の時刻であることである情報処理装置。
【請求項１８】
判断部、広告取得部、および広告送信部により実現される情報処理方法であって、
前記判断部により、２以上の各テレビ会議端末装置が、記憶媒体に格納されている広告出力条件を満たすか否かを判断する判断ステップと、
前記広告取得部により、前記判断ステップにより前記広告出力条件を満たすとの判断である場合、記憶媒体から出力する広告を取得する広告取得ステップと、
前記広告送信部により、前記２以上のテレビ会議端末装置のうち、いずれか１以上のテレビ会議端末装置に、広告取得ステップで取得された広告を送信する広告送信ステップを具備し、
前記広告出力条件は、
前記テレビ会議端末装置で出力されている映像に関する条件を示す出力映像条件、または前記２以上のテレビ会議端末装置のうちの、予め決められた数のテレビ会議端末装置が通信できない状態であること、または現在時刻が、格納されている会議情報に含まれる開始時刻の前の時刻であることである情報処理方法。
【請求項１９】
コンピュータを、
２以上の各テレビ会議端末装置が、記憶媒体に格納されている広告出力条件を満たすか否かを判断する判断部と、
前記判断部が広告出力条件を満たすとの判断である場合、記憶媒体から出力する広告を取得する広告取得部と、
前記２以上のテレビ会議端末装置のうち、いずれか１以上のテレビ会議端末装置に、前記広告取得部が取得した広告を送信する広告送信部として機能させるためのプログラムであって、
前記広告出力条件は、
前記テレビ会議端末装置で出力されている映像に関する条件を示す出力映像条件、または前記２以上のテレビ会議端末装置のうちの、予め決められた数のテレビ会議端末装置が通信できない状態であること、または現在時刻が、格納されている会議情報に含まれる開始時刻の前の時刻であることであるプログラム。
【発明の詳細な説明】
【技術分野】
【０００１】
本発明は、所定の条件を満たした場合に、広告情報を出力するテレビ会議システム等に関するものである。
【背景技術】
【０００２】
従来のテレビ会議システムにおいて、テレビ電話を介して交わされる会話内からキーワードを抽出し、予めサービスセンターより配信されてテレビ電話端末側に蓄積された動画情報や静止画情報等の広告の中から、キーワードに関連した広告を呼び出してディスプレイ上に表示する（例えば、特許文献１参照）。
【特許文献１】特開２００２−２７１５０７号公報（第１頁、第１図等）
【発明の開示】
【発明が解決しようとする課題】
【０００３】
しかしながら、従来のテレビ会議システムにおいては、適切なタイミングで広告が出力されず、広告の出力がテレビ会議の邪魔になる場合がある、という課題があった。
【０００４】
また、従来のテレビ会議システムにおいては、会話からキーワードを抽出し、キーワードに関連した広告を呼び出すので、既に終了してしまった話題に対応する広告が出てしまう場合がある、という課題があった。
【課題を解決するための手段】
【０００５】
本第一の発明のテレビ会議システムは、情報処理装置と２以上のテレビ会議端末装置とを具備するテレビ会議システムであって、前記情報処理装置は、広告を含む情報である広告情報を1以上格納し得る広告情報格納部と、広告を出力するための条件である広告出力条件を格納し得る広告出力条件格納部と、前記２以上の各テレビ会議端末装置が、前記広告出力条件を満たすか否かを判断する判断部と、前記判断部が広告出力条件を満たすとの判断である場合、前記広告情報格納部から出力する広告を取得する広告取得部と、前記２以上のテレビ会議端末装置のうち、いずれか1以上のテレビ会議端末装置に、前記広告取得部が取得した広告を送信する広告送信部とを具備し、前記テレビ会議端末装置は、映像を取得する映像取得部と、音声を取得する音声取得部と、前記映像を送信する映像送信部と、前記音声を送信する音声送信部と、1以上の他のテレビ会議端末装置から送信された映像を受信する映像受信部と、前記映像受信部が受信した映像を出力する映像出力部と、1以上の他のテレビ会議端末装置から送信された音声を受信する音声受信部と、前記音声受信部が受信した音声を出力する音声出力部と、前記情報処理装置が送信した広告を受信する広告受信部と、前記広告受信部が受信した広告を出力する広告出力部とを具備するテレビ会議システムである。
【０００６】
かかる構成により、テレビ会議端末装置の状況に応じた、適切なタイミングで広告を出力できる。
【０００７】
また、本第二の発明のテレビ会議システムは、第一の発明に対して、前記広告出力条件は、前記テレビ会議端末装置で出力されている映像に関する条件を示す出力映像条件であるテレビ会議システムである。
【０００８】
かかる構成により、テレビ会議端末装置に出力されている映像の状況に応じた、適切なタイミングで広告を出力できる。
【０００９】
また、本第三の発明のテレビ会議システムは、第二の発明に対して、前記出力映像条件は、予め決められた時間、前記テレビ会議端末装置で出力されている映像に変化がないことであるテレビ会議システムである。
【００１０】
かかる構成により、テレビ会議端末装置に出力されている映像の動きが無い場合は、テレビ会議が行われていない時間であると判断し、当該タイミングで広告を出力することにより、テレビ会議の邪魔をすることなく、広告を出力できる。
【００１１】
また、本第四の発明のテレビ会議システムは、第一の発明に対して、前記広告出力条件は、前記テレビ会議端末装置で出力されている音声に関する条件を示す出力音声条件であるテレビ会議システムである。
【００１２】
かかる構成により、テレビ会議端末装置に出力されている音声の状況に応じた、適切なタイミングで広告を出力できる。
【００１３】
また、本第五の発明のテレビ会議システムは、第四の発明に対して、前記出力音声条件は、予め決められた時間、前記テレビ会議端末装置で出力されている音声が出力されていないことであるテレビ会議システムである。
【００１４】
かかる構成により、テレビ会議端末装置に出力されている音声が無音またはそれに類する音声である場合は、テレビ会議が行われていない時間であると判断し、当該タイミングで広告を出力することにより、テレビ会議の邪魔をすることなく、広告を出力できる。
【００１５】
また、本第六の発明のテレビ会議システムは、第一の発明に対して、前記広告出力条件は、前記２以上のテレビ会議端末装置のうちの、予め決められた数のテレビ会議端末装置が通信できない状態であることであるテレビ会議システムである。
【００１６】
かかる構成により、テレビ会議の準備中に、既に準備できたテレビ会議端末装置に対して広告を出力することができる。
【００１７】
また、本第七の発明のテレビ会議システムは、第一の発明に対して、前記情報処理装置は、テレビ会議の開始時刻を含む会議情報を格納し得る会議情報格納部をさらに具備し、前記広告出力条件は、現在時刻が、前記会議情報に含まれる開始時刻の前の時刻であることであるテレビ会議システムである。
【００１８】
かかる構成により、会議情報を利用して、会議開始前など、適切なタイミングで広告を出力できる。
【００１９】
また、本第八の発明のテレビ会議システムは、第一から第七いずれかの発明に対して、前記映像出力部は、前記１以上の他のテレビ会議端末装置からの映像を、それぞれ異なる領域に出力し、前記広告出力部は、前記通信できない状態にある１以上のテレビ会議端末装置からの映像を出力する領域に、前記広告を出力するテレビ会議システムである。
【００２０】
かかる構成により、利用されていない領域を利用して、広告を出力できる。
【００２１】
また、本第九の発明のテレビ会議システムは、第一から第七いずれかの発明に対して、前記広告出力部は、前記広告を、会議参加者が出力される領域の全面に出力するテレビ会議システムである。
【００２２】
かかる構成により、会議開始前など、会議の邪魔にならないタイミングにおいて、ディスプレイのスペースを最大限に生かして、広告を出力できる。
【００２３】
また、本第十の発明のテレビ会議システムは、第一から第六いずれかの発明に対して、前記情報処理装置は、会議の内容を示す会議内容情報を含む会議情報を格納し得る会議情報格納部をさらに具備し、前記広告取得部は、前記会議内容情報から、用語を取得する用語取得手段と、前記用語取得手段が取得した用語を用いて、広告を取得する広告取得手段とを具備するテレビ会議システムである。
【００２４】
かかる構成により、例えば、会議の目的やタイトルなど、予め格納されている会議情報を用いて、参加者に興味があると考えられる広告を出力できる。
【００２５】
また、本第十一の発明のテレビ会議システムは、第十の発明に対して、前記広告情報は、用語と対応付けられた広告を有し、前記広告取得手段は、前記用語取得手段が取得した用語に対応する広告を取得するテレビ会議システムである。
【００２６】
かかる構成により、予め格納されている会議情報を用いて、参加者に興味があると考えられる広告を出力できる。
【００２７】
また、本第十二の発明のテレビ会議システムは、第十の発明に対して、前記広告情報は、用語と対応付けられた広告を有し、前記広告取得手段は、前記用語取得手段が取得した用語に対応しない広告を取得するテレビ会議システムである。
【００２８】
かかる構成により、予め格納されている会議情報を用いて、会議内容に拘束されない広告を出力できる。また、会議の議題に関して、嫌いな会議参加者も居られ、そのような参加者に対して、感情を逆撫でするような不適切な広告を出力しなくて済む。
【００２９】
また、本第十三の発明のテレビ会議システムは、第一から第十二いずれかの発明に対して、前記広告取得部は、会議参加者の性別を示す性別情報を１以上、取得する性別決定手段と、前記性別決定手段が取得した２以上の性別情報を用いて、広告を取得する広告取得手段とを具備するテレビ会議システムである。
【００３０】
かかる構成により、会議参加者に適した広告を出力できる。
【００３１】
また、本第十四の発明のテレビ会議システムは、第十三の発明に対して、前記情報処理装置は、前記２以上のテレビ会議端末装置から映像を受信するサーバ側映像受信部をさらに具備し、前記性別決定手段は、前記サーバ側映像受信部が受信した２以上の各映像から、１以上の性別情報を取得するテレビ会議システムである。
【００３２】
かかる構成により、予め、会議参加者の登録を行わずに、会議参加者に適した広告を出力できる。
【００３３】
また、本第十五の発明のテレビ会議システムは、第一から第十四いずれかの発明に対して、前記テレビ会議端末装置は、会議の参加者が入力する入力情報を受け付ける入力情報受付部と、前記入力情報を送信する入力情報送信部と、他のテレビ会議端末装置から入力情報を受信する入力情報受信部と、前記入力情報を出力する入力情報出力部をさらに具備し、前記情報処理装置は、前記入力情報を受信するサーバ側入力情報受信部をさらに具備し、前記広告取得部は、前記入力情報から、用語を取得する用語取得手段と、前記用語取得手段が取得した用語を用いて、広告を取得する広告取得手段とを具備するテレビ会議システムである。
【００３４】
かかる構成により、テレビ会議で利用する情報を用いて、当該情報に関連した広告を出力できる。
【００３５】
また、本第十六の発明のテレビ会議システムは、第一から第十五いずれかの発明に対して、前記テレビ会議端末装置は、広告を出力するか否かを示す指示情報を受け付ける指示情報受付部と、前記指示情報を蓄積する指示情報蓄積部とをさらに具備し、前記指示情報が広告を出力しない旨を示す情報である場合、前記広告出力部は、広告を出力しないテレビ会議システムである。
【００３６】
かかる構成により、テレビ会議端末装置固有の事情に応じた、広告出力の制御ができる。
【００３７】
また、本第十七の発明のテレビ会議システムは、第十六の発明に対して、前記広告情報は、広告が出力されることが必須であるか否かを示すフラグを含み、前記広告出力部は、前記指示情報が広告を出力しない旨を示す情報である場合でも、出力されることが必須であるフラグと対になる広告は出力するテレビ会議システムである。
【００３８】
かかる構成により、テレビ会議端末装置固有の事情に応じた、ある程度の広告出力の制御ができ、かつ、強制的に広告を出力できる。
【発明の効果】
【００３９】
本発明によるテレビ会議システムによれば、適切な場合に広告が出力できる。
【発明を実施するための最良の形態】
【００４０】
以下、テレビ会議システム等の実施形態について図面を参照して説明する。なお、実施の形態において同じ符号を付した構成要素は同様の動作を行うので、再度の説明を省略する場合がある。
【００４１】
（実施の形態１）
【００４２】
本実施の形態において、所定の条件を満たした場合に、広告を出力するテレビ会議システムについて説明する。また、その所定の条件とは、テレビ会議端末装置の状態についての条件である。具体的には、所定の条件とは、テレビ会議端末装置に出力される映像に関する条件である。また、所定の条件とは、テレビ会議端末装置に出力される音声に関する条件である。また、所定の条件とは、スケジュールなどの会議情報から得られる条件でも良い。なお、テレビ会議とは、映像（静止画を含む）を伴う、遠隔地間で行われる会議のことであり、いわゆるビデオカンファランス、インターネット会議等といわれている概念も含まれる。
【００４３】
また、本実施の形態において、広告を出力する領域は、画面の全面や、接続されていないテレビ会議端末装置に対応する領域などである。さらに、本実施の形態において、テレビ会議端末装置で広告の出力／非出力が制御でき得る。
【００４４】
図１は、本実施の形態におけるテレビ会議システム１の概念図である。テレビ会議システム１は、情報処理装置１１、２以上のテレビ会議端末装置１２を具備する。情報処理装置１１とテレビ会議端末装置１２とは、通信可能である。また、２以上のテレビ会議端末装置１２の間で、テレビ会議が行われる、とする。
【００４５】
図２は、本実施の形態におけるテレビ会議システム１のブロック図である。情報処理装置１１は、広告情報格納部１１０１、広告出力条件格納部１１０２、会議情報格納部１１０３、サーバ側映像受信部１１０４、サーバ側音声受信部１１０５、サーバ側映像送信部１１０６、サーバ側音声送信部１１０７、判断部１１０８、広告取得部１１０９、広告送信部１１１０、接続部１１１１を具備する。
【００４６】
テレビ会議端末装置１２は、受付部１２０１、指示情報蓄積部１２０２、映像取得部１２０３、音声取得部１２０４、映像送信部１２０５、音声送信部１２０６、映像受信部１２０７、映像出力部１２０８、音声受信部１２０９、音声出力部１２１０、広告受信部１２１１、広告出力部１２１２、接続依頼部１２１３を具備する。
【００４７】
情報処理装置１１は、テレビ会議端末装置１２に広告を送信する、いわゆるサーバ装置である。
【００４８】
広告情報格納部１１０１は、広告を含む情報である広告情報を1以上格納し得る。広告情報は、例えば、1以上の用語と、当該用語に対応する広告を有する。また、広告情報は、例えば、広告と、当該広告のターゲットとなるユーザ（ここでは、会議参加者）の属性値（後述する性別情報や、年齢や、趣味など）を含む。また、広告情報は、例えば、広告と、ユーザの属性値や、広告のグループ分けをするための情報であるカテゴリーを含んでも良い。広告は、静止画、動画、音声、文字列、または、それらの組み合わせ等、そのデータタイプやデータ構造は問わない。広告情報格納部１１０１は、不揮発性の記録媒体が好適であるが、揮発性の記録媒体でも実現可能である。広告情報格納部１１０１に広告情報が記憶される過程は問わない。例えば、記録媒体を介して広告情報が広告情報格納部１１０１で記憶されるようになってもよく、通信回線等を介して送信された広告情報が広告情報格納部１１０１で記憶されるようになってもよく、あるいは、入力デバイスを介して入力された広告情報が広告情報格納部１１０１で記憶されるようになってもよい。
【００４９】
広告出力条件格納部１１０２は、広告を出力するための条件である広告出力条件を格納し得る。広告出力条件は、テレビ会議端末装置の状態に関する条件であることは好適である。テレビ会議端末装置の状態に関する条件とは、例えば、出力映像条件、出力音声条件、接続状態条件などである。出力映像条件とは、テレビ会議端末装置１２で出力されている映像に関する条件である。また、出力映像条件は、例えば、予め決められた時間、テレビ会議端末装置１２で出力されている映像に変化がないことである。また、出力音声条件とは、テレビ会議端末装置１２で出力されている音声に関する条件である。また、出力音声条件は、例えば、予め決められた時間、テレビ会議端末装置１２で出力されている音声が出力されていないことである。接続状態条件とは、テレビ会議端末装置１２がテレビ会議を開始できる状態に、接続されているか否かについての条件である。接続状態条件とは、例えば、２以上のテレビ会議端末装置１２のうちの、予め決められた数のテレビ会議端末装置１２が通信できない状態であることである。なお、「予め決められた数」は、広告出力条件を構成する情報の一つである。また、広告出力条件は、テレビ会議の時間に関する情報を用いた条件でも良い。例えば、広告出力条件は、現在時刻が、テレビ会議の開始時刻の前であることでも良い。さらに、広告出力条件は、プログラム中に埋め込まれていても良い。広告出力条件格納部１１０２は、広告出力条件と、広告を出力する領域を示す領域情報とを対にして格納しても良い。なお、広告を出力する領域とは、通常、テレビ会議端末装置１２における広告の出力領域である。また、広告出力条件格納部１１０２は、広告出力条件と、当該条件を適用するか否かを示すフラグである適用フラグとを対にして格納しても良い。広告出力条件格納部１１０２は、不揮発性の記録媒体が好適であるが、揮発性の記録媒体でも実現可能である。広告出力条件格納部１１０２に広告出力条件が記憶される過程は問わない。例えば、記録媒体を介して広告出力条件が広告出力条件格納部１１０２で記憶されるようになってもよく、通信回線等を介して送信された広告出力条件が広告出力条件格納部１１０２で記憶されるようになってもよく、あるいは、入力デバイスを介して入力された広告出力条件が広告出力条件格納部１１０２で記憶されるようになってもよい。
【００５０】
会議情報格納部１１０３は、会議情報を格納し得る。会議情報は、テレビ会議に関する情報である。会議情報は、テレビ会議の開始時刻を含む。会議情報は、テレビ会議の開始時刻、終了時刻、会議の目的、タイトル、参加者、参加者の属性値（性別、年齢など）を含んでも良い。会議情報は、例えば、テレビ会議システムの予約のためのアプリケーションから入力された情報（例えば、後述する図１３の画面から入力された情報）である。会議情報格納部１１０３は、不揮発性の記録媒体が好適であるが、揮発性の記録媒体でも実現可能である。会議情報格納部１１０３に会議情報が記憶される過程は問わない。例えば、記録媒体を介して会議情報が会議情報格納部１１０３で記憶されるようになってもよく、通信回線等を介して送信された会議情報が会議情報格納部１１０３で記憶されるようになってもよく、あるいは、入力デバイスを介して入力された会議情報が会議情報格納部１１０３で記憶されるようになってもよい。
【００５１】
サーバ側映像受信部１１０４は、テレビ会議端末装置１２から映像を受信する。サーバ側映像受信部１１０４は、通常、無線または有線の通信手段で実現されるが、放送を受信する手段で実現されても良い。
【００５２】
サーバ側音声受信部１１０５は、テレビ会議端末装置１２から音声を受信する。サーバ側音声受信部１１０５は、通常、無線または有線の通信手段で実現されるが、放送を受信する手段で実現されても良い。
【００５３】
サーバ側映像送信部１１０６は、サーバ側映像受信部１１０４が受信した映像を、他のテレビ会議端末装置１２に送信する。他のテレビ会議端末装置１２とは、映像を送信してきたテレビ会議端末装置１２以外のテレビ会議端末装置１２である。サーバ側映像送信部１１０６は、通常、無線または有線の通信手段で実現されるが、放送手段で実現されても良い。
【００５４】
サーバ側音声送信部１１０７は、サーバ側音声受信部１１０５が受信した音声を、他のテレビ会議端末装置１２に送信する。サーバ側音声送信部１１０７は、通常、無線または有線の通信手段で実現されるが、放送手段で実現されても良い。
【００５５】
判断部１１０８は、２以上の各テレビ会議端末装置１２が、広告出力条件を満たすか否かを判断する。「テレビ会議端末装置１２が広告出力条件を満たすか否か」とは、テレビ会議端末装置１２で出力される映像、音声、テレビ会議端末装置１２の接続状態、または現在時刻などが、広告出力条件を満たすか否か、である。判断部１１０８は、サーバ側映像受信部１１０４が受信した映像や、サーバ側音声受信部１１０５が受信した音声などを利用して、テレビ会議端末装置１２の状態を検査し、２以上の各テレビ会議端末装置１２が、広告出力条件を満たすか否かを判断することは好適である。サーバ側映像受信部１１０４が受信した映像や音声は、テレビ会議端末装置１２で出力される映像や音声である。判断部１１０８は、通常、ＭＰＵやメモリ等から実現され得る。判断部１１０８の処理手順は、通常、ソフトウェアで実現され、当該ソフトウェアはＲＯＭ等の記録媒体に記録されている。但し、ハードウェア（専用回路）で実現しても良い。
【００５６】
広告取得部１１０９は、判断部１１０８が広告出力条件を満たすとの判断である場合、広告情報格納部１１０１から出力する広告を取得する。ここで、広告を取得するアルゴリズムは問わない。広告情報格納部１１０１に複数の広告が存在する場合、広告取得部１１０９は、ランダムに広告を読み出しても良いし、広告効果があがる広告を読み出すようにしても良い。広告効果があがる広告を読み出すようにするためのアルゴリズムは、実施の形態２で説明する。また、広告取得部１１０９は、取得した広告に、判断部１１０８における判断結果を付与しても良い。この判断結果は、テレビ会議端末装置１２における広告出力制御情報になり得る。つまり、広告に、広告出力制御情報が付加されていても良い。広告出力制御情報とは、広告を強制的に出力するか否かを制御するための情報（後述する強制出力フラグ）であったり、広告を出力する領域を示す領域情報であったり等である。広告出力制御情報は、例えば、接続されていないテレビ会議端末装置１２の映像が出力されるウィンドウの識別子（ウィンドウＩＤ）や、ディスプレイの全面に出力するか否かを示す情報や、テレビ会議端末装置１２のディスプレイ中の領域であり、２以上の会議参加者が出力される領域の全面に出力することを示す情報などであり。広告取得部１１０９は、通常、ＭＰＵやメモリ等から実現され得る。広告取得部１１０９の処理手順は、通常、ソフトウェアで実現され、当該ソフトウェアはＲＯＭ等の記録媒体に記録されている。但し、ハードウェア（専用回路）で実現しても良い。
【００５７】
広告送信部１１１０は、２以上のテレビ会議端末装置１２のうち、いずれか1以上のテレビ会議端末装置１２に、広告取得部１１０９が取得した広告を送信する。ここで、「いずれか1以上」とは、広告送信部１１１０は、通常、接続されているすべてのテレビ会議端末装置１２に広告を送信するが、一部のテレビ会議端末装置１２のみに広告を送信しても良い趣旨である。また、広告送信部１１１０は、広告だけではなく、広告を出力する領域を示す領域情報や、広告が出力されることが必須であるか否かを示す強制出力フラグをも広告と対にして、送信しても良い。広告送信部１１１０は、通常、無線または有線の通信手段で実現されるが、放送手段で実現されても良い。
【００５８】
なお、情報処理装置１１の映像送信部１２０５、および広告送信部１１１０が、それぞれテレビ会議のための映像、広告を送信する場合、各テレビ会議端末装置１２に出力される画面の状態を構成し、当該構成した画面を送信しても良いし、映像と広告をそれぞれ送信し、画面の構成は、テレビ会議端末装置１２が行っても良い。
【００５９】
接続部１１１１は、テレビ会議端末装置１２からの、テレビ会議への接続の依頼を受け付け、当該テレビ会議端末装置１２を通信可能にする。接続の依頼とは、接続を指示する命令である。接続部１１１１は、公知技術であるので、詳細な説明を省略する。
【００６０】
テレビ会議端末装置１２は、テレビ会議を行う端末であり、通常、カメラ、マイクを具備する。
【００６１】
受付部１２０１は、ユーザから、各種の指示や情報を受け付ける。受け付ける指示は、例えば、接続依頼である。また、受け付ける情報は、例えば、広告を出力するか否かを示す指示情報である。また、指示情報は、例えば、広告を出力することを示す「１」、広告を出力しないことを示す「０」を採り得る。指示情報の入力手段は、キーボードやマウスやテンキーやメニュー画面によるもの等、何でも良い。受付部１２０１は、キーボード等の入力手段のデバイスドライバーや、メニュー画面の制御ソフトウェア等で実現され得る。
【００６２】
指示情報蓄積部１２０２は、受付部１２０１が受け付けた指示情報を蓄積する。指示情報蓄積部１２０２は、自身が有する記憶媒体に、指示情報を蓄積する。指示情報蓄積部１２０２は、通常、ＭＰＵやメモリ等から実現され得る。指示情報蓄積部１２０２の処理手順は、通常、ソフトウェアで実現され、当該ソフトウェアはＲＯＭ等の記録媒体に記録されている。但し、ハードウェア（専用回路）で実現しても良い。
【００６３】
映像取得部１２０３は、映像を取得する。映像取得部１２０３は、通常、カメラを用いて映像を取得する。映像取得部１２０３は、通常、カメラとそのドライバーソフトにより実現され得る。
【００６４】
音声取得部１２０４は、音声を取得する。通常、マイクを用いて映像を取得する。音声取得部１２０４は、通常、マイクとそのドライバーソフトにより実現され得る。
【００６５】
映像送信部１２０５は、映像取得部１２０３が取得した映像を送信する。映像送信部１２０５は、情報処理装置１１に映像を送信しても良いし、他のテレビ会議端末装置１２に映像を送信しても良い。映像送信部１２０５は、通常、無線または有線の通信手段で実現されるが、放送手段で実現されても良い。
【００６６】
音声送信部１２０６は、音声を送信する。音声送信部１２０６は、情報処理装置１１に音声を送信しても、他のテレビ会議端末装置１２に音声を送信しても良い。音声送信部１２０６は、通常、無線または有線の通信手段で実現されるが、放送手段で実現されても良い。
【００６７】
映像受信部１２０７は、1以上の他のテレビ会議端末装置１２から送信された映像を受信する。ここで、「テレビ会議端末装置１２から」とは、情報処理装置１１を経由しても良いし、直接的に他のテレビ会議端末装置１２から映像を受信しても良い趣旨である。映像受信部１２０７は、通常、無線または有線の通信手段で実現されるが、放送を受信する手段で実現されても良い。
【００６８】
映像出力部１２０８は、映像受信部１２０７が受信した映像を出力する。映像出力部１２０８は、通常、1以上の他のテレビ会議端末装置１２から送信された映像を、それぞれ異なる領域に出力する。ただし、映像出力部１２０８は、現在、発言している人の映像のみを出力するなどしても良い。ここで、出力とは、ディスプレイへの表示、プロジェクターを用いた投影、外部の装置への送信、記録媒体への蓄積、他の処理装置や他のプログラム等への処理結果の引渡し等を含む概念である。映像出力部１２０８は、ディスプレイ等の出力デバイスを含むと考えても含まないと考えても良い。映像出力部１２０８は、出力デバイスのドライバーソフトまたは、出力デバイスのドライバーソフトと出力デバイス等で実現され得る。
【００６９】
音声受信部１２０９は、1以上の他のテレビ会議端末装置１２から送信された音声を受信する。ここで、受信とは、情報処理装置１１から受信しても、他のテレビ会議端末装置１２から直接的に受信しても良い趣旨である。音声受信部１２０９は、通常、無線または有線の通信手段で実現されるが、放送を受信する手段で実現されても良い。
【００７０】
音声出力部１２１０は、音声受信部１２０９が受信した音声を出力する。ここで、出力とは、スピーカーからの音出力、外部の装置への送信、記録媒体への蓄積、他の処理装置や他のプログラム等への処理結果の引渡し等を含む概念である。音声出力部１２１０は、スピーカー等の出力デバイスを含むと考えても含まないと考えても良い。音声出力部１２１０は、出力デバイスのドライバーソフトまたは、出力デバイスのドライバーソフトと出力デバイス等で実現され得る。
【００７１】
広告受信部１２１１は、情報処理装置１１が送信した広告を受信する。広告受信部１２１１は、広告と広告出力制御情報を受信しても良い。ここで、受信とは、情報処理装置１１ではない他の装置を経由した、間接的な受信でも良い。広告受信部１２１１は、通常、無線または有線の通信手段で実現されるが、放送を受信する手段で実現されても良い。
【００７２】
広告出力部１２１２は、広告受信部１２１１が受信した広告を出力する。広告出力部１２１２は、通信できない状態にある１以上のテレビ会議端末装置１２からの映像を出力する領域に、広告を出力することは好適である。広告出力部１２１２は、広告を、会議参加者が出力される領域の全面に出力しても良い。広告出力部１２１２は、広告出力制御情報（領域情報、強制出力フラグ）に従って、広告を出力することは好適である。また、広告出力部１２１２は、広告出力制御情報（強制出力フラグ）に従って、広告を出力しない場合があることも好適である。また、広告出力部１２１２は、指示情報が広告を出力しない旨を示す情報である場合、広告を出力しないことは好適である。さらに、広告出力部１２１２は、指示情報が広告を出力しない旨を示す情報である場合でも、広告に付された強制出力フラグが、出力されることが必須であるフラグである場合には、当該広告は出力することは好適である。ここで、出力とは、ディスプレイへの表示、プロジェクターを用いた投影、プリンタへの印字、音出力、外部の装置への送信、記録媒体への蓄積、他の処理装置や他のプログラム等への処理結果の引渡し等を含む概念である。広告出力部１２１２は、ディスプレイやスピーカー等の出力デバイスを含むと考えても含まないと考えても良い。広告出力部１２１２は、出力デバイスのドライバーソフトまたは、出力デバイスのドライバーソフトと出力デバイス等で実現され得る。
【００７３】
接続依頼部１２１３は、受付部１２０１が接続依頼を受け付けた場合、当該接続依頼を情報処理装置１１に送信する。接続依頼部１２１３は、通常、無線または有線の通信手段で実現されるが、放送手段で実現されても良い。
【００７４】
なお、上記のサーバ側映像受信部１１０４、サーバ側音声受信部１１０５、サーバ側映像送信部１１０６、サーバ側音声送信部１１０７、広告送信部１１１０等は、物理的に一つの通信手段により実現されても良い。また、広告情報格納部１１０１、広告出力条件格納部１１０２、および会議情報格納部１１０３は、物理的に一つの記憶媒体により実現されても良い。また、映像送信部１２０５、音声送信部１２０６、映像受信部１２０７、音声受信部１２０９、広告受信部１２１１、および接続依頼部１２１３等は、物理的に一つの通信手段により実現されても良い。また、映像出力部１２０８、広告出力部１２１２は、物理的に一つの通信手段により実現されても良いことは言うまでもない。
【００７５】
次に、テレビ会議システム１の動作について説明する。まず、情報処理装置１１の動作について、図３のフローチャートを用いて説明する。
【００７６】
（ステップＳ３０１）接続部１１１１は、テレビ会議端末装置１２から、テレビ会議への接続依頼を受信したか否かを判断する。接続依頼を受信すればステップＳ３０２に行き、接続依頼を受信しなければステップＳ３０４に行く。
【００７７】
（ステップＳ３０２）接続部１１１１は、接続依頼を送信してきたテレビ会議端末装置１２のテレビ会議システムへの接続処理を行う。接続処理とは、例えば、当該テレビ会議端末装置１２とハンドシェイクの処理などである。接続処理は、公知技術であるので、詳細な説明を省略する。
【００７８】
（ステップＳ３０３）接続部１１１１は、テレビ会議端末装置１２と通信するための情報であり、テレビ会議端末装置１２を識別する情報（例えば、ＩＰアドレスやＭＡＣアドレスなど）を、例えば、判断部１１０８の記憶媒体（不揮発性でも揮発性でも良い）に蓄積する。ステップＳ３０１に戻る。
【００７９】
（ステップＳ３０４）サーバ側映像受信部１１０４、およびサーバ側音声受信部１１０５は、それぞれ映像、および音声を受信したか否かを判断する。映像等を受信すればステップＳ３０５に行き、映像等を受信しなければステップＳ３０７に行く。
【００８０】
（ステップＳ３０５）サーバ側映像送信部１１０６、およびサーバ側音声送信部１１０７は、それぞれ映像、および音声に対して処理を行う。かかる処理は、例えば、映像を送信してきたテレビ会議端末装置１２の識別子を映像に付与する処理である。また、かかる処理は、例えば、音声を送信してきたテレビ会議端末装置１２の識別子を音声に付与する処理である。なお、映像に付与された識別子は、例えば、テレビ会議端末装置１２に表示されるウィンドウに対応している。また、かかる処理は、例えば、映像を蓄積する処理である。また、映像の蓄積は、例えば、リングバッファなどを用いて、近々の所定時間の映像だけの蓄積でも良い。さらに、かかる処理は、例えば、音声を蓄積する処理である。また、音声の蓄積は、例えば、リングバッファなどを用いて、近々の所定時間の音声だけの蓄積でも良い。
【００８１】
（ステップＳ３０６）サーバ側映像送信部１１０６、およびサーバ側音声送信部１１０７は、それぞれ映像、および音声を、各テレビ会議端末装置１２に送信する。送信される映像、および音声には、通常、テレビ会議端末装置１２の識別子が付与されている。ステップＳ３０１に戻る。なお、このテレビ会議端末装置１２の識別子を用いて、各テレビ会議端末装置１２は、他のテレビ会議端末装置１２からの映像を適切なウィンドウに出力する。
【００８２】
（ステップＳ３０７）判断部１１０８は、広告出力条件格納部１１０２から、広告出力条件を読み出す。
【００８３】
（ステップＳ３０８）判断部１１０８、および広告取得部１１０９は、ステップＳ３０７で読み出された広告出力条件を用いて、広告取得処理を行う。広告取得処理について、図４のフローチャートを用いて説明する。
【００８４】
（ステップＳ３０９）広告送信部１１１０は、ステップＳ３０８で取得された広告が存在するか否か（出力フラグがＯＮかＯＦＦか）を判断する。広告が存在すればステップＳ３１０に行き、広告が存在しなければステップＳ３０１に戻る。
【００８５】
（ステップＳ３１０）広告送信部１１１０は、ステップＳ３０８で取得された広告を送信する。ステップＳ３０１に戻る。
【００８６】
なお、図３のフローチャートにおいて、電源オフや処理終了の割り込みにより処理は終了する。
【００８７】
次に、ステップＳ３０８の広告取得処理について、図４のフローチャートを用いて説明する。
【００８８】
（ステップＳ４０１）判断部１１０８は、出力フラグにＯＦＦ（例えば、「０」）を代入する。出力フラグとは、送信する広告（テレビ会議端末装置１２で出力する広告）が存在するか否かを判断するためのフラグであり、ＯＦＦの場合は、送信する広告が存在せず、ＯＮの場合は、送信する広告が存在することを示す。
【００８９】
（ステップＳ４０２）判断部１１０８は、読み出された広告出力条件が、出力映像条件であるか否かを判断する。出力映像条件であればステップＳ４０３に行き、出力映像条件でなければステップＳ４０６に行く。
【００９０】
（ステップＳ４０３）判断部１１０８は、１以上の各テレビ会議端末装置１２から送信されてきた映像に関する情報を取得する。映像に関する情報とは、例えば、蓄積されている所定時間の映像（１以上の各テレビ会議端末装置１２から送信されてきた映像）から取得される情報であり、映像に変化があるかどうかを示す情報である。なお、判断部１１０８は、すべてのテレビ会議端末装置１２から送信されてきた映像に変化が無い場合のみ、時間的変化が無い、として、映像に関する情報を取得しても良いし、テレビ会議端末装置１２ごとに、時間的変化の有無を取得しても良い。なお、変化がある場合は「１」、変化が無い場合は「０」などである。映像に関する情報とは、蓄積されている所定時間の映像に人物が存在するか否か（顔が存在するか否か）についての情報である。また、例えば、人物が存在する場合は「１」、人物が存在しない場合は「０」などである。なお、映像の中に人物が存在するか否かを判断する技術は公知技術であるので、詳細な説明は省略する。
【００９１】
（ステップＳ４０４）判断部１１０８は、取得した情報が、読み出した広告出力条件に合致するか否かを判断する。なお、取得した情報とは、ステップＳ４０３、ステップＳ４０７、ステップＳ４０９、またはステップＳ４１１で取得した情報である。広告出力条件に合致すればステップＳ４０５に行き、広告出力条件に合致しなければ上位処理にリターンする。
【００９２】
（ステップＳ４０５）判断部１１０８は、出力フラグにＯＮ（例えば、「１」）を代入する。ステップＳ４１２に行く。
【００９３】
（ステップＳ４０６）判断部１１０８は、読み出された広告出力条件が、出力音声条件であるか否かを判断する。出力音声条件であればステップＳ４０７に行き、出力音声条件でなければステップＳ４０８に行く。
【００９４】
（ステップＳ４０７）判断部１１０８は、１以上の各テレビ会議端末装置１２から送信されてきた音声に関する情報を取得する。音声に関する情報とは、例えば、蓄積されている所定時間の音声（１以上の各テレビ会議端末装置１２から送信されてきた音声）から取得される情報であり、音声が無音または無音に類似する音声（以下、適宜、これらをまとめて無音、という。）であるかどうかを示す情報である。なお、判断部１１０８は、すべてのテレビ会議端末装置１２から送信されてき音声が無音または無音に類似する音声である場合のみ、無音である、として、音声に関する情報を取得しても良いし、テレビ会議端末装置１２ごとに、無音であるか否かを示す情報を取得しても良い。なお、音声に関する情報は、例えば、無音でない場合は「１」、無音である場合は「０」などである。ステップＳ４０４に行く。
【００９５】
（ステップＳ４０８）判断部１１０８は、読み出された広告出力条件が、接続状態条件であるか否かを判断する。接続状態条件であればステップＳ４０９に行き、接続状態条件でなければステップＳ４１１に行く。
【００９６】
（ステップＳ４０９）判断部１１０８は、２以上の各テレビ会議端末装置１２の接続に関する情報を取得する。接続に関する情報とは、２以上の各テレビ会議端末装置１２の接続状態（接続されているか否か）、または接続されており、通信可能なテレビ会議端末装置１２の数、テレビ会議に参加する予定の人（テレビ会議端末装置１２）の数などである。テレビ会議に参加する予定の人（テレビ会議端末装置１２）の数は、会議情報格納部１１０３の会議情報が有する、とする。ステップＳ４０４に行く。
【００９７】
（ステップＳ４１０）判断部１１０８は、読み出された広告出力条件が、時間条件であるか否かを判断する。時間条件であればステップＳ４１１に行き、時間条件でなければ上位処理にリターンする。
【００９８】
（ステップＳ４１１）判断部１１０８は、テレビ会議の時間に関する情報を取得する。テレビ会議の時間に関する情報とは、例えば、会議情報に含まれる開始時刻、現在時刻などである。また、テレビ会議の時間に関する情報とは、例えば、現在時刻が、会議開始前か、開始後を示す情報である。例えば、会議開始前は「０」、会議開始後は「１」である。判断部１１０８は、会議情報格納部１１０３から開始時刻を読み出す。また、判断部１１０８は、保持している時計から現在時刻を取得する。ステップＳ４０４に行く。
【００９９】
（ステップＳ４１２）広告取得部１１０９は、広告情報格納部１１０１から出力する広告を取得する。広告取得部１１０９は、ランダムに広告を選択しても良いし、実施の形態２で説明するようなアルゴリズムで、テレビ会議参加者に適した、また、広告効果が上がるような広告を選択しても良い。
【０１００】
なお、図４のフローチャートにおいて、広告出力条件は、出力映像条件、出力音声条件、接続状態条件、または時間条件のうちのいずれかであったが、２つ以上の条件を組み合わせた条件でも良い。かかる場合、判断部１１０８は、ステップＳ４０３、ステップＳ４０７、ステップＳ４０９、またはステップＳ４１１のうち、対応する２以上の処理を行った後、ステップＳ４０４の判断を行う。
【０１０１】
また、通常、図４のフローチャートにおける広告出力条件の評価は、定期的に行われ、一度、広告出力条件を満たしている間のみ、広告が取得され、送信される。
【０１０２】
次に、テレビ会議端末装置１２の動作について、図５のフローチャートを用いて説明する。
【０１０３】
（ステップＳ５０１）受付部１２０１は、ユーザから、テレビ会議への参加の指示（接続依頼）を受け付けたか否かを判断する。接続依頼を受け付ければステップＳ５０２に行き、接続依頼を受け付けなければステップＳ５０３に行く。
【０１０４】
（ステップＳ５０２）接続依頼部１２１３は、ステップＳ５０１で受け付けた接続依頼を、情報処理装置１１に送信する。ステップＳ５０１に戻る。
【０１０５】
（ステップＳ５０３）受付部１２０１は、ユーザから、指示情報を受け付けたか否かを判断する。指示情報を受け付ければステップＳ５０４に行き、指示情報を受け付けなければステップＳ５０５に行く。
【０１０６】
（ステップＳ５０４）指示情報蓄積部１２０２は、ステップＳ５０３で受け付けた指示情報を蓄積する。ステップＳ５０１に戻る。
【０１０７】
（ステップＳ５０５）映像受信部１２０７、音声受信部１２０９、および広告受信部１２１１は、それぞれ映像、音声、および広告を受信したか否かを判断する。なお、ここでは、テレビ会議端末装置１２は、映像と音声のみ、映像と音声と広告を受信する場合があり得る。映像等を受信すればステップＳ５０６に行き、映像等を受信しなければステップＳ５０９に行く。
【０１０８】
（ステップＳ５０６）映像出力部１２０８、および広告出力部１２１２は、出力する画面を構成する。なお、例えば、映像出力部１２０８、および広告出力部１２１２は、それぞれ対応するウィンドウ（画面上のウィンドウ）のメモリ領域に、映像または広告を出力し、画面を構成する。
【０１０９】
（ステップＳ５０７）映像出力部１２０８、および広告出力部１２１２は、ステップＳ５０６で構成した画面を出力する。ステップＳ５０１に戻る。
【０１１０】
（ステップＳ５０８）音声出力部１２１０は、ステップＳ５０５で受信された音声を出力する。
【０１１１】
（ステップＳ５０９）映像取得部１２０３は、映像を取得する。
【０１１２】
（ステップＳ５１０）音声取得部１２０４は、音声を取得する。
【０１１３】
（ステップＳ５１１）映像送信部１２０５、および音声送信部１２０６は、それぞれ映像、音声を送信する。映像送信部１２０５、および音声送信部１２０６は、通常、情報処理装置１１に映像等を送信する。ただし、映像送信部１２０５、および音声送信部１２０６は、直接的に、他のテレビ会議端末装置１２に映像等を送信しても良い。ステップＳ５０１に戻る。
【０１１４】
なお、図５のフローチャートにおいて、画面の構成はテレビ会議端末装置１２が行った。しかし、画面の構成は、情報処理装置１１が行い、テレビ会議端末装置１２は、受信した画面（広告も含む場合がある）を、単に出力するだけでも良い。
【０１１５】
また、図５のフローチャートにおいて、電源オフや処理終了の割り込みにより処理は終了する。
【０１１６】
以下、本実施の形態におけるテレビ会議システム１の具体的な動作について説明する。テレビ会議システム１の概念図は図１である。
【０１１７】
今、情報処理装置１１の広告情報格納部１１０１は、図６に示す広告情報管理表を格納している。広告情報管理表は、「ＩＤ」と広告情報を有するレコードを１以上、格納している。広告情報は、「カテゴリー」「用語」「広告」「フラグ」を有する。「ＩＤ」は、レコードを識別する情報であり、表管理のために存在する。「カテゴリー」は、広告を分類する情報である。「用語」は、広告に対応付けられているキーワードである。属性「広告」に格納される広告は、動画、音声、静止画、テキストおよびそれらの組み合わせ等、そのデータタイプやデータ構造は問わない。「フラグ」は、広告が出力されることが必須であるか否かを示す強制出力フラグである。ここでは、「１」に対応する広告は、テレビ会議端末装置１２において、指示情報に関わらず、出力される。
【０１１８】
また、広告出力条件格納部１１０２は、図７に示す広告出力条件管理表を格納している。広告出力条件管理表は、「ＩＤ」「適用「１」／非適用「０」」「広告出力条件」「領域情報」を有するレコードを１以上、格納している。「ＩＤ」は、レコードを識別する情報であり、表管理のために存在する。「適用「１」／非適用「０」」は、広告を取得する場合に、適用する広告出力条件を判断するための情報であり、「１」に対応する広告出力条件が適用されることとなる。つまり、図７において、「ＩＤ＝１，２，５，８」の広告出力条件が適用される。「広告出力条件」の記載形式は問わない。「広告出力条件」は、プログラムで実現されても良い。図７において、「ＩＤ＝１，３」の広告出力条件は、出力映像条件の例である。「ＩＤ＝１」の広告出力条件は、全てのテレビ会議端末装置１２の映像に動きがない時間が、1分を超えた場合に、広告を出力する、という条件である。「ＩＤ＝３」の広告出力条件は、任意の（ひとつの）テレビ会議端末装置１２の映像に動きがない時間が、５０秒を超えた場合に、広告を出力する、という条件である。また、図７において、「ＩＤ＝２」の広告出力条件は、出力音声条件の例である。「ＩＤ＝２」の広告出力条件は、全てのテレビ会議端末装置１２の音声が無音または無音に類する音声であることが４０秒以上続いた場合に、広告を出力する、という条件である。また、図７において、「ＩＤ＝４，５」の広告出力条件は、接続状態条件の例である。図７において、「ＩＤ＝４」の広告出力条件は、接続されているテレビ会議端末装置１２の数が５以下である場合に、広告を出力する、という条件である。この条件に合致するかについて、テレビ会議端末装置１２が接続された場合に、判断部１１０８に格納される情報であり、テレビ会議端末装置１２についての情報を読み取ることにより、判断部１１０８が判断する。図７において、「ＩＤ＝５」の広告出力条件は、会議参加予定のテレビ会議端末装置１２（参加者）の中で、接続されているテレビ会議端末装置１２の割合が８割未満である場合に、広告を出力する、という条件である。この条件に合致するかについて、テレビ会議端末装置１２が接続された場合に、判断部１１０８に格納される情報であり、テレビ会議端末装置１２についての情報を読み取り、かつ、会議情報格納部１１０３の会議情報から、会議参加予定のテレビ会議端末装置１２の数を取得し、当該取得した２つの情報から、判断部１１０８が判断する。また、図７において、「ＩＤ＝７，８」の広告出力条件は、時間条件の例である。図７において、「ＩＤ＝７」の広告出力条件は、会議開始前には、広告を出力する、という条件である。また、「ＩＤ＝８」の広告出力条件は、現在、会議開始の３分より前である場合に、広告を出力する、という条件である。「ＩＤ＝７，８」の広告出力条件に合致するかについて、判断部１１０８は、会議情報格納部１１０３の会議情報から、会議開始時刻を取得し、かつ、時計から現在時刻を取得し、当該２つの時刻から判断する。「領域情報」は、対応する広告出力条件が適用された場合に、取得された広告が出力する領域（画面情報の領域）を示す情報である。領域情報「全面」は、画面（または、テレビ��議システムのウィンドウ）全面に、広告が出力することを示す。領域情報「参加者表示領域全面」は、他の参加者を表示する領域の全面（画面（または、テレビ会議システムのウィンドウ）の一部）に、広告が出力することを示す。さらに、領域情報「参加者個別表示領域」は、他の参加者を表示する領域のうちの各ウィンドウに、広告が出力することを示す。なお、例えば、領域情報「全面」は「１」、「参加者表示領域全面」は「２」、「参加者個別表示領域」は「３」などの値を採りえる。
【０１１９】
また、会議情報格納部１１０３は、図８に示す会議情報管理表を格納している。会議情報管理表は、「ＩＤ」「会議情報」を有するレコードを１以上、格納している。「ＩＤ」は、レコードを識別する情報であり、表管理のために存在する。「会議情報」は、「会議時間情報」「主催者」「参加者」「タイトル」「会議内容」を有する。「会議時間情報」は、会議の時間に関する情報であり、「開始時刻」「終了時刻」を有する。「主催者」は、ここでは、会議主催者の氏名であるが、会議主催者のテレビ会議端末装置１２を識別する情報（例えば、ＩＰアドレス等）であれば、何でも良い。なお、情報処理装置１１において、図示しない手段により、氏名と、テレビ会議端末装置１２を識別する情報が対応付けられて管理されている、とする。「参加者」は、会議の参加者の氏名である。「タイトル」は、会議のタイトルである。「会議内容」は、会議の概要を示す情報である。
【０１２０】
また、現在、２００８／３／２５  １２：４５である。そして、現在時刻が進んでいく。かかる状況において、１以上のテレビ会議端末装置１２から、接続依頼を受け付けた、とする。そして、接続依頼を受け付けた各テレビ会議端末装置１２の接続依頼部１２１３は、当該接続依頼を、情報処理装置１１に送信する。
【０１２１】
次に、接続部１１１１は、テレビ会議端末装置１２から、テレビ会議への接続依頼を受信する。
【０１２２】
次に、接続部１１１１は、接続依頼を送信してきたテレビ会議端末装置１２に対して、テレビ会議システムへの接続処理を行う。そして、接続部１１１１は、テレビ会議端末装置１２と通信するための情報（ここでは、例えば、テレビ会議端末装置１２のＩＰアドレス）を、判断部１１０８の記憶媒体に蓄積する。
【０１２３】
そして、接続されたテレビ会議端末装置１２からは、映像と音声が、情報処理装置１１に送信される。
【０１２４】
次に、情報処理装置１１は、映像と音声を受信し、それぞれにテレビ会議端末装置１２を識別する情報を付加する。
【０１２５】
そして、情報処理装置１１は、現在接続されている他のテレビ会議端末装置１２に、受信した映像と音声を送信する。
【０１２６】
次に、テレビ会議端末装置１２の映像受信部１２０７、音声受信部１２０９は、それぞれ、１以上の他のテレビ会議端末装置１２から、情報処理装置１１経由で送信されてきた映像と音声を受信する。そして、自身のテレビ会議端末装置１２で取得された映像と、他のテレビ会議端末装置１２から送信された映像を用いて、出力する画面を構成する。次に、映像出力部１２０８は、構成した画面を出力する。なお、かかる場合の出力例は、図９である。図９には広告が含まれておらず、既存のテレビ会議システムの技術により、出力可能であるので、出力方法の詳細な説明は省略する。また、図９において、３名の会議参加者のテレビ会議端末装置１２から、接続依頼が送信されている。図９において、９０１は、自分（本テレビ会議端末装置１２の前に居る会議参加者）が映し出されるウィンドウであり、９０２等は、他の人が映し出されるウィンドウである。９０３は、参加者の情報が表示されるフィールドである。
【０１２７】
かかる状況において、以下、広告が出力される場合について説明する。まず、情報処理装置１１の判断部１１０８は、広告出力条件格納部１１０２から、広告出力条件を読み出す。つまり、適用「１」に対応する広告出力条件を、広告出力条件管理表から読み出す。ここでは、判断部１１０８は、「ＩＤ＝１，２，５，８」の広告出力条件を読み出す。
【０１２８】
そして、判断部１１０８は、「ＩＤ＝１」の広告出力条件に、現在の２以上のテレビ会議端末装置１２の状態が合致するか否かを判断する。ここで、「ＩＤ＝１」の広告出力条件は「全テレビ会議端末装置１２の映像の動きなし時間＞１分」であるので、判断部１１０８は、格納している各テレビ会議端末装置１２（ここでは、図９の画面に表示されている参加者の３つのテレビ会議端末装置１２）から送信された所定時間（１分）の映像をチェックし、変化が有るか無いかを判断する。ここでは、変化がある（田中さんが入室してきた）ので、判断部１１０８は、現在の２以上のテレビ会議端末装置１２の状態が「ＩＤ＝１」の広告出力条件に合致しない、と判断する。
【０１２９】
次に、判断部１１０８は、「ＩＤ＝２」の広告出力条件に、現在の２以上のテレビ会議端末装置１２の状態が合致するか否かを判断する。ここで、「ＩＤ＝２」の広告出力条件は「すべてのテレビ会議端末装置１２の音声が無音または無音に類する音声である時間＞＝４０秒」であるので、判断部１１０８は、格納している各テレビ会議端末装置１２（ここでは、図９の画面に表示されている参加者の３つのテレビ会議端末装置１２）から送信された所定時間（４０秒）の音声をチェックし、無音であるか否かを判断する。ここでは、無音でないと判断され（例えば、参加者が挨拶を交わした）、判断部１１０８は、現在の２以上のテレビ会議端末装置１２の状態が「ＩＤ＝２」の広告出力条件に合致しない、と判断する。
【０１３０】
次に、判断部１１０８は、「ＩＤ＝５」の広告出力条件に、現在の２以上のテレビ会議端末装置１２の状態が合致するか否かを判断する。ここで、「ＩＤ＝５」の広告出力条件は、「会議参加予定のテレビ会議端末装置１２（参加者）の中で、接続されているテレビ会議端末装置１２の数＜８割」であるので、判断部１１０８は、判断部１１０８に格納される情報であり、テレビ会議端末装置１２についての情報の数「３」（接続されているテレビ会議端末装置１２の数）を取得し、メモリ上に配置する。次に、判断部１１０８は、図８の会議情報管理表の「ＩＤ＝１」のレコードの主催者、参加者から、会議参加予定数「１３」を取得する。次に、判断部１１０８は、接続されているテレビ会議端末装置１２の割合を「割合＝３／１３」として算出し、メモリ上に配置する。そして、判断部１１０８は、「３／１３」は８割未満を満たす、と判断する。
【０１３１】
次に、判断部１１０８は、出力フラグにＯＮを代入する。そして、広告取得部１１０９は、広告情報管理表から出力する広告を取得する。ここでは、広告取得部１１０９は、カレントレコードを示す情報（図８の広告情報管理表の「ＩＤ」）を保持しており、カレントレコードを進めながら、順に、広告を取得する、とする。また、判断部１１０８は、この広告出力条件と対になる領域情報「参加者個別表示領域」を取得する。
【０１３２】
次に、広告送信部１１１０は、出力フラグがＯＮであるので、取得された広告と領域情報「参加者個別表示領域」を、各テレビ会議端末装置１２に送信する。なお、本具体例では、「ＩＤ＝５」の広告出力条件を満たしたので、「ＩＤ＝８」の広告出力条件を評価しなかったが、「ＩＤ＝８」の広告出力条件をも評価して、適用しても良いことは言うまでもない。
【０１３３】
次に、テレビ会議端末装置１２の広告受信部１２１１は、広告と領域情報「参加者個別表示領域」を受信する。そして、広告出力部１２１２は、領域情報「参加者個別表示領域」に従って、参加者が表示される各領域（ウィンドウ）に、受信された広告を出力する。広告の出力例は、図１０である。なお、図１０において、接続されていないテレビ会議端末装置１２の映像が出力されるウィンドウの領域に、広告が表示された。しかし、領域情報が「参加者表示領域全面」である場合、図１１に示すように、他の１２のテレビ会議端末装置１２の映像が出力されるウィンドウの領域全体に、広告が表示される。また、順次、広告が受信された場合、図１２に示すように、広告出力部１２１２は、それぞれ別のウィンドウ領域（各テレビ会議端末装置１２の映像が出力されるウィンドウの領域）に、複数の広告を、同時に出力しても良い。
【０１３４】
また、図１２の状態で、未接続であったテレビ会議端末装置１２が接続された場合、広告出力部１２１２は、広告が出力されている一のウィンドウに、広告の出力に代えて、当該接続されたテレビ会議端末装置１２から送信されてきた映像を出力することは好適である。
【０１３５】
また、時間が経過し、全ての会議の参加予定者（１３名）が、自分のテレビ会議端末装置１２から、接続依頼を送信し、情報処理装置１１に接続した、とする。
【０１３６】
しかし、現在、２００８年２月２５日１２時５５分であり、まだ、会議開始まで５分残っている。
【０１３７】
そして、情報処理装置１１の判断部１１０８は、「ＩＤ＝８」の広告出力条件に合致する、と判断する。そして、広告出力部１２１２は、広告を出力し続ける。なお、この場合、広告の出力態様は、図１１のような態様である。テレビ会議端末装置１２の広告受信部１２１１が受信する領域情報は、「参加者表示領域全面」であるからである。
【０１３８】
そして、２００８年２月２５日１２時５７分になった時に、判断部１１０８は、「ＩＤ＝１，２，５，８」の広告出力条件のいずれをも満たさない、と判断する。次に、情報処理装置１１は、各テレビ会議端末装置１２から送信されてきた映像と、音声を、他のテレビ会議端末装置１２に送信する。
【０１３９】
そして、テレビ会議端末装置１２において、テレビ会議が遂行される。テレビ会議の遂行時のテレビ会議端末装置１２や情報処理装置１１の処理は公知技術であるので、説明を省略する。また、テレビ会議が遂行中も、広告出力条件はチェックされ続ける。
【０１４０】
そして、途中、２００８年２月２５日１４時００分に休憩が入った、とする。そして、会議参加者の全員が声を発しなくなった、とする。
【０１４１】
すると、２００８年２月２５日１４時００分４０秒に、情報処理装置１１の判断部１１０８は、「ＩＤ＝２」の広告出力条件に合致する、と判断する。そして、情報処理装置１１の広告送信部１１１０は、各テレビ会議端末装置１２に、広告と領域情報「参加者表示領域全面」を送信する。
【０１４２】
そして、各テレビ会議端末装置１２の広告受信部１２１１は、広告と領域情報「参加者表示領域全面」を受信する。そして、広告出力部１２１２は、受信された広告を出力する。この場合、広告の出力態様は、図１１のような態様である。テレビ会議端末装置１２の広告受信部１２１１が受信する領域情報は、「参加者表示領域全面」であるからである。
【０１４３】
以上、本実施の形態によれば、テレビ会議端末装置１２の状況に応じた、適切なタイミングで広告を出力できる。
【０１４４】
具体的には、本実施の形態によれば、テレビ会議端末装置１２に出力されている映像の状況に応じた、適切なタイミングで広告を出力できる。かかることにより、例えば、テレビ会議の進行を邪魔せず、広告を出力して良い状況において、広告を出力できる。
【０１４５】
また、具体的には、テレビ会議端末装置１２に出力されている音声の状況に応じた、適切なタイミングで広告を出力できる。かかることにより、例えば、テレビ会議の進行を邪魔せず、広告を出力して良い状況において、広告を出力できる。
【０１４６】
さらに、具体的には、本実施の形態によれば、会議情報を利用して、会議開始前など、適切なタイミングで広告を出力できる。かかることにより、テレビ会議を邪魔することなく、広告を出力できる。なお、例えば、会議開始直前までではなく、会議開始前の所定時間（例えば、３分）前まで広告を出力することにより、会議前の準備（心の準備を含める）もでき、かつ、早く集合した参加者には、広告を提示できる。
【０１４７】
また、本実施の形態によれば、適用される広告出力条件に対応した、適切な領域に広告が表示され、テレビ会議端末装置１２の状況に応じた広告の出力が可能になる。かかることにより、広告の出力が、テレビ会議の進行を邪魔しなかったり、限られた表示スペースを最大限に利用できたりする。
【０１４８】
なお、本実施の形態において、図示しない装置またはテレビ会議端末装置１２から、例えば、図１３に示す画面を用いて、ユーザが会議情報を入力し、当該会議情報が情報処理装置１１に送信され、情報処理装置１１の会議情報格納部１１０３に蓄積される。
【０１４９】
また、本実施の形態によれば、上述したように、各会議参加者は、広告を出力しないことを示す「指示情報」を入力できる。かかる場合、強制出力フラグがＯＮでない広告は出力されない。ただし、強制出力フラグがＯＮである広告は、広告を出力しないことを示す「指示情報」が蓄積されていても出力される。かかることにより、会議参加者の嗜好、気分により、広告を見せられる不都合を回避しつつ、どうしても見て欲しい広告は強制的に会議参加者に見せることができる。
【０１５０】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータを、２以上の各テレビ会議端末装置が、記憶媒体に格納されている広告出力条件を満たすか否かを判断する判断部と、前記判断部が広告出力条件を満たすとの判断である場合、記憶媒体から出力する広告を取得する広告取得部と、前記２以上のテレビ会議端末装置のうち、いずれか1以上のテレビ会議端末装置に、前記広告取得部が取得した広告を送信する広告送信部として機能させるためのプログラムである。
【０１５１】
（実施の形態２）
【０１５２】
本実施の形態において、所定の条件を満たした場合に、広告を出力するテレビ会議システムについて説明する。また、会議内容や、会議参加者の属性に応じた広告を出力できるテレビ会議システムについて説明する。具体的には、会議情報（会議目的、タイトルなど）からキーワードを抽出し、当該キーワードに合致する広告を出力したり、その逆に、会議目的のカテゴリーとは異なる広告を出力したり、会議参加者の性別の情報を用いて、当該性別に合致する広告を出力したり、会議で用いるドキュメントから、キーワードを取得し、当該キーワードに合致する広告を出力したりできるテレビ会議システムについて説明する。さらに、本実施の形態において、テレビ会議端末装置１２の状態に応じて、広告を出力する領域を変更するテレビ会議システムについて説明する。
【０１５３】
図１は、本実施の形態におけるテレビ会議システム１の概念図である。図１４は、本実施の形態におけるテレビ会議システム２のブロック図である。テレビ会議システム２は、情報処理装置２１と２以上のテレビ会議端末装置２２とを具備する。
【０１５４】
情報処理装置２１は、広告情報格納部１１０１、広告出力条件格納部１１０２、会議情報格納部１１０３、サーバ側映像受信部１１０４、サーバ側音声受信部１１０５、サーバ側映像送信部１１０６、サーバ側音声送信部１１０７、判断部１１０８、広告取得部２１０９、広告送信部１１１０、接続部１１１１、サーバ側入力情報受信部２１０１、サーバ側入力情報送信部２１０２を具備する。
【０１５５】
広告取得部２１０９は、用語取得手段２１０９１、性別決定手段２１０９２、広告取得手段２１０９３を具備する。
【０１５６】
テレビ会議端末装置２２は、受付部１２０１、指示情報蓄積部１２０２、映像取得部１２０３、音声取得部１２０４、映像送信部１２０５、音声送信部１２０６、映像受信部１２０７、映像出力部１２０８、音声受信部１２０９、音声出力部１２１０、広告受信部１２１１、広告出力部１２１２、接続依頼部１２１３、入力情報受付部２２０１、入力情報送信部２２０２、入力情報受信部２２０３、入力情報出力部２２０４を具備する。
【０１５７】
広告取得部２１０９は、判断部１１０８が広告出力条件を満たすとの判断である場合、広告情報格納部１１０１から出力する広告を取得する。
【０１５８】
用語取得手段２１０９１は、会議情報格納部１１０３の会議内容情報から、用語を取得する。また、用語取得手段２１０９１は、サーバ側入力情報受信部２１０１が受信した入力情報から、用語を取得しても良い。用語取得手段２１０９１は、形態素解析を行い、自立語や名詞を、用語として、1以上取得しても良いし、専門用語を取得する処理（公知技術）により、専門用語を取得しても良いし、その他の処理方法により1以上の用語を取得しても良い。また、用語取得手段２１０９１は、入力情報を自然言語処理し、話題を推定し、当該話題を用語として取得しても良い。文章などから話題を推定する技術も公知技術である。用語取得手段２１０９１は、通常、ＭＰＵやメモリ等から実現され得る。用語取得手段２１０９１の処理手順は、通常、ソフトウェアで実現され、当該ソフトウェアはＲＯＭ等の記録媒体に記録されている。但し、ハードウェア（専用回路）で実現しても良い。
【０１５９】
性別決定手段２１０９２は、会議参加者の性別を示す性別情報を1以上、取得する。性別決定手段２１０９２は、例えば、サーバ側映像受信部１１０４が受信した２以上の各映像から、1以上の性別情報を取得する。映像から性別を取得する技術は公知技術であり、詳細な説明を省略する。また、性別決定手段２１０９２は、会議情報に含まれる参加者の属性値（性別）から、性別情報を1以上、読み出しても良い。性別決定手段２１０９２は、通常、ＭＰＵやメモリ等から実現され得る。性別決定手段２１０９２の処理手順は、通常、ソフトウェアで実現され、当該ソフトウェアはＲＯＭ等の記録媒体に記録されている。但し、ハードウェア（専用回路）で実現しても良い。
【０１６０】
広告取得手段２１０９３は、用語取得手段２１０９１が取得した用語を用いて、広告を取得する。広告取得手段２１０９３は、例えば、用語取得手段２１０９１が取得した用語と対になる広告を、広告情報格納部１１０１から取得する。なお、用語とは、概念辞書や類義語辞書から取得された用語でも良い。つまり、広告取得手段２１０９３は、用語取得手段２１０９１が取得した用語の類義語や上位概念語や下位概念語を、概念辞書や類義語辞書から取得し、当該類義語や上位概念語や下位概念語などと対になる広告を、広告情報格納部１１０１から取得しても良い。また、広告取得手段２１０９３は、用語取得手段２１０９１が取得した用語に対応しない広告を取得しても良い。つまり、広告取得手段２１０９３は、例えば、用語取得手段２１０９１が取得した用語とは対にならない広告（会議内容とは無関係であると考えられる広告）を、広告情報格納部１１０１から取得しても良い。また、広告取得手段２１０９３は、性別決定手段２１０９２が取得した２以上の性別情報を用いて、広告を取得しても良い。つまり、広告取得手段２１０９３は、性別決定手段２１０９２が取得した全会議参加者の性別情報から、会議参加者に男性が多いか、女性が多いかを判断し、当該判断を用いて、例えば、女性が多い場合は、性別情報「女性」と対になる広告を取得しても良い。また、広告取得手段２１０９３は、女性が一定割合（その割合は、予め、図示しない記憶媒体に格納されている）以上であれば、女性向けの広告を取得する、などの処理を行っても良い。なお、広告取得手段２１０９３は、男性と女性の両方が、会議参加者に含まれる場合、両方に対応する広告を取得し、広告送信部１１１０が、男性のテレビ会議端末装置１２には男性に対応する広告を送信し、女性のテレビ会議端末装置１２には女性に対応する広告を送信しても良い。また、用語取得手段２１０９１が入力情報から取得した用語を用いて広告を取得する場合、入力情報が出力されている間のみ、広告送信部１１１０は、当該広告を出力することは好適である。つまり、出力される入力情報が変更されたり、未表示になった場合には、テレビ会議端末装置１２における広告は切り替わる、または広告出力は終了することは好適である。かかることは、入力情報の受信が行われている間、当該入力情報に含まれる用語を用いて取得された広告を、テレビ会議端末装置１２に送信することにより実現され得る。広告取得手段２１０９３は、通常、ＭＰＵやメモリ等から実現され得る。広告取得手段２１０９３の処理手順は、通常、ソフトウェアで実現され、当該ソフトウェアはＲＯＭ等の記録媒体に記録されている。但し、ハードウェア（専用回路）で実現しても良い。
【０１６１】
サーバ側入力情報受信部２１０１は、入力情報を受信する。入力情報とは、会議で用いられる情報であり、通常、会議の議論の対象となる情報である。入力情報は、例えば、ユーザが指示した（入力した）ファイルやウェブページ等である。サーバ側入力情報受信部２１０１は、通常、無線または有線の通信手段で実現されるが、放送を受信する手段で実現されても良い。
【０１６２】
入力情報受付部２２０１は、会議の参加者が入力する情報であり、会議で用いられる情報である入力情報を受け付ける。入力情報の入力手段は、キーボードやマウスやメニュー画面によるもの等、何でも良い。入力情報受付部２２０１は、キーボード等の入力手段のデバイスドライバーや、メニュー画面の制御ソフトウェア等で実現され得る。
【０１６３】
入力情報送信部２２０２は、入力情報受付部２２０１が受け付けた入力情報を送信する。ここで、入力情報送信部２２０２は、入力情報を情報処理装置２１に送信しても、他のテレビ会議端末装置２２に、直接的に送信しても良い。入力情報送信部２２０２は、入力情報を受け付けたり、入力情報に変化があったりした場合のみ、入力情報を送信しても良いし、定期的に入力情報を送信しても良い。入力情報送信部２２０２は、通常、無線または有線の通信手段で実現されるが、放送手段で実現されても良い。
【０１６４】
入力情報受信部２２０３は、他のテレビ会議端末装置２２から入力された入力情報を受信する。入力情報受信部２２０３は、情報処理装置２１から入力情報を受信しても、他のテレビ会議端末装置２２から直接的に入力情報を受信しても良い。入力情報受信部２２０３は、通常、無線または有線の通信手段で実現されるが、放送を受信する手段で実現されても良い。
【０１６５】
入力情報出力部２２０４は、入力情報受信部２２０３が受信した入力情報、または／および入力情報受付部２２０１が受け付けた入力情報を出力する。入力情報出力部２２０４は、他の人が入力した情報に加えて、自分が入力した情報を出力することは好適である。ここで、出力とは、ディスプレイへの表示、プロジェクターを用いた投影、プリンタへの印字、音出力、外部の装置への送信、記録媒体への蓄積、他の処理装置や他のプログラム等への処理結果の引渡し等を含む概念である。入力情報出力部２２０４は、ディスプレイやスピーカー等の出力デバイスを含むと考えても含まないと考えても良い。入力情報出力部２２０４は、出力デバイスのドライバーソフトまたは、出力デバイスのドライバーソフトと出力デバイス等で実現され得る。
【０１６６】
次に、テレビ会議システム２の動作について説明する。まず、情報処理装置２１の動作について、図１５のフローチャートを用いて説明する。図１５のフローチャートにおいて、図３のフローチャートと同様の動作については、説明を省略する。
【０１６７】
（ステップＳ１５０１）サーバ側入力情報受信部２１０１は、入力情報を受信したか否かを判断する。入力情報を受信すればステップＳ１５０２に行き、入力情報を受信しなければステップＳ３０７に行く。
【０１６８】
（ステップＳ１５０２）サーバ側入力情報送信部２１０２は、受信した入力情報を用いて、各テレビ会議端末装置２２で出力する情報を構成する。サーバ側入力情報送信部２１０２は、例えば、最新の情報を保持しており、当該情報に、受信した入力情報を合成して、出力する情報を構成する。なお、かかる場合、構成した情報が、最新の情報となる。なお、サーバ側入力情報送信部２１０２は、受信した入力情報を、そのまま各テレビ会議端末装置２２に送信しても良い。かかる場合、出力する情報の構成は各テレビ会議端末装置２２が行う。また、サーバ側入力情報送信部２１０２は、複数のテレビ会議端末装置２２から受信した入力情報を合成して、出力する情報を構成しても良い。
【０１６９】
（ステップＳ１５０３）サーバ側入力情報送信部２１０２は、ステップＳ１５０２で構成された情報を、各テレビ会議端末装置２２に送信する。
【０１７０】
（ステップＳ１５０４）広告取得部２１０９は、広告取得処理を行う。広告取得処理について、図１６のフローチャートを用いて説明する。
【０１７１】
次に、ステップＳ１５０４の広告取得処理について、図１６のフローチャートを用いて説明する。図１６のフローチャートにおいて、図４のフローチャートと同様の動作については、説明を省略する。
【０１７２】
（ステップＳ１６０１）広告取得部２１０９は、広告選択処理を行う。ここでの広告選択処理は、参加者の性別や、会議で用いる文書などにより、取得する広告を変える処理である。広告選択処理について、図１７のフローチャートを用いて説明する。
【０１７３】
次に、ステップＳ１６０１の広告選択処理について、図１７のフローチャートを用いて説明する。
【０１７４】
（ステップＳ１７０１）性別決定手段２１０９２は、カウンタｉに１を代入する。
【０１７５】
（ステップＳ１７０２）性別決定手段２１０９２は、ｉ番目の会議参加者が存在するか否かを判断する。ｉ番目の参加者が存在すればステップＳ１７０３に行き、ｉ番目の参加者が存在しなければステップＳ１７０６に行く。なお、判断部１１０８が会議参加者の情報を保持しており、かかる情報から会議参加者の数を取得しても良いし、サーバ側映像受信部１１０４が映像を受信する相手のテレビ会議端末装置２２の数から、会議参加者の数を取得しても良いし、会議情報格納部１１０３の会議情報のうちの参加者の情報から、会議参加者の数を取得しても良い。
【０１７６】
（ステップＳ１７０３）性別決定手段２１０９２は、ｉ番目の会議参加者の映像（静止画でも良い）を取得する。
【０１７７】
（ステップＳ１７０４）性別決定手段２１０９２は、ステップＳ１７０３で取得した映像を画像解析し、性別を決定し、性別情報を取得する。そして、性別決定手段２１０９２は、性別情報をメモリ上に格納する。
【０１７８】
（ステップＳ１７０５）性別決定手段２１０９２は、カウンタｉを１、インクリメントする。ステップＳ１７０２に戻る。
【０１７９】
（ステップＳ１７０６）用語取得手段２１０９１は、サーバ側入力情報受信部２１０１が受信した入力情報が存在するか否かを判断する。入力情報が存在すればステップＳ１７０７に行き、入力情報が存在しなければステップＳ１７０８に行く。
【０１８０】
（ステップＳ１７０７）用語取得手段２１０９１は、入力情報から1以上の用語を取得する。用語を取得するアルゴリズムは、上述したように、何でも良い。
【０１８１】
（ステップＳ１７０８）広告取得手段２１０９３は、ステップＳ１７０４で取得した１以上の性別情報、またはステップＳ１７０７で取得した１以上の用語のいずれかを用いて、広告を取得する。広告取得手段２１０９３は、性別情報のみを用いても、１以上の用語のみを用いても、両方の情報を用いても良い。また、広告取得手段２１０９３は、２以上の広告を取得しても良い。上位処理にリターンする。
【０１８２】
次に、テレビ会議端末装置２２の動作について、図１８のフローチャートを用いて説明する。図１８のフローチャートにおいて、図５のフローチャートと同様の動作については、説明を省略する。
【０１８３】
（ステップＳ１８０１）入力情報受付部２２０１は、入力情報を受け付けたか否かを判断する。入力情報を受け付ければステップＳ１８０２に行き、入力情報を受け付けなければステップＳ１８０３に行く。
【０１８４】
（ステップＳ１８０２）入力情報送信部２２０２は、ステップＳ１８０１で受け付けた入力情報を情報処理装置２１に送信する。ステップＳ５０１に戻る。なお、ここで、受け付けられた入力情報は、通常、メモリ上に配置され、ディスプレイに表示される。
【０１８５】
（ステップＳ１８０３）入力情報受信部２２０３は、情報処理装置２１から、入力情報を受信したか否かを判断する。入力情報を受信すればステップＳ１８０４に行き、入力情報を受信しなければステップＳ５０９に行く。
【０１８６】
（ステップＳ１８０４）入力情報出力部２２０４は、ステップＳ１８０３で受信した入力情報を出力する。なお、ここで、入力情報出力部２２０４は、ステップＳ１８０１で受け付けた入力情報と、受信した入力情報を合成して、出力しても良い。ステップＳ５０１に戻る。
【０１８７】
なお、図１８のフローチャートにおいて、電源オフや処理終了の割り込みにより処理は終了する。
【０１８８】
以下、本実施の形態におけるテレビ会議システム２の具体的な動作について説明する。テレビ会議システム２の概念図は図１である。
【０１８９】
今、情報処理装置２１の広告情報格納部１１０１は、図６に示す広告情報管理表を格納している。また、広告出力条件格納部１１０２は、図７に示す広告出力条件管理表を格納している。さらに、会議情報格納部１１０３は、図８に示す会議情報管理表を格納している。
【０１９０】
また、現在、２００８／３／２５  １２：４５である。そして、現在時刻が進んでいく。かかる状況において、１以上のテレビ会議端末装置２２から、接続依頼を受け付けた、とする。そして、接続依頼を受け付けた各テレビ会議端末装置２２の接続依頼部１２１３は、当該接続依頼を、情報処理装置２１に送信する。
【０１９１】
そして、その後のテレビ会議を行うための処理は、実施の形態１の具体例で説明した処理内容と同様である。つまり、テレビ会議端末装置２２は、図９に示す画面を出力する。
【０１９２】
かかる状況において、以下、広告が出力される場合について説明する。まず、情報処理装置２１の判断部１１０８は、広告出力条件格納部１１０２から、適用「１」に対応する広告出力条件（「ＩＤ＝１，２，５，８」の広告出力条件）を読み出す。
【０１９３】
そして、判断部１１０８は、「ＩＤ＝１」の広告出力条件に関して、現在の２以上のテレビ会議端末装置２２の状態が合致しない、と判断する。
【０１９４】
次に、判断部１１０８は、「ＩＤ＝２」の広告出力条件に関して、現在の２以上のテレビ会議端末装置２２の状態が合致しない、と判断する。
【０１９５】
次に、判断部１１０８は、「ＩＤ＝５」の広告出力条件に、現在の２以上のテレビ会議端末装置２２の状態が合致するか否かを判断する。ここで、「ＩＤ＝５」の広告出力条件は、「会議参加予定のテレビ会議端末装置２２（参加者）の中で、接続されているテレビ会議端末装置２２の数＜８割」であるので、判断部１１０８は、判断部１１０８に格納される情報であり、テレビ会議端末装置２２についての情報の数「３」（接続されているテレビ会議端末装置２２の数）を取得し、メモリ上に配置する。次に、判断部１１０８は、図８の会議情報管理表の「ＩＤ＝１」のレコードの主催者、参加者から、会議参加予定数「１３」を取得する。次に、判断部１１０８は、接続されているテレビ会議端末装置２２の割合を「割合＝３／１３」として算出し、メモリ上に配置する。そして、判断部１１０８は、「３／１３」は８割未満を満たす、と判断する。
【０１９６】
次に、判断部１１０８は、出力フラグにＯＮを代入する。そして、広告取得部２１０９は、以下のように、広告情報管理表から出力する広告を取得する。つまり、広告取得部２１０９の性別決定手段２１０９２は、サーバ側映像受信部１１０４が受信した３（現在、テレビ会議端末装置２２が３、接続されている）の各映像から、それぞれの参加者の性別を「女性」「男性」「女性」と判断し、性別情報「女性（例えば、「１」）」「男性（例えば、「０」）」「女性（例えば、「１」）」を取得した、とする。そして、広告取得手段２１０９３は、女性の方が多いので、カテゴリー「女性」に対応する広告を順次、取得する、とする。つまり、広告取得手段２１０９３は、カテゴリー「女性」に対応する、「ＩＤ＝２」の広告を、図６の広告管理表から取得する。また、次に、広告取得手段２１０９３は、カテゴリー「女性」に対応する、「ＩＤ＝４」の広告を、図６の広告管理表から取得する。さらに、順に、広告取得手段２１０９３は、さらに次のカテゴリー「女性」に対応する広告を取得していく。なお、ここで、広告取得手段２１０９３は、「男性」「女性」の両方に対応する広告のみ（例えば、「ＩＤ＝４」の広告）を取得しても良い。
【０１９７】
また、判断部１１０８は、この広告出力条件と対になる領域情報「参加者個別表示領域」を取得する。
【０１９８】
次に、広告送信部１１１０は、出力フラグがＯＮであるので、取得された広告と領域情報「参加者個別表示領域」を、順次、各テレビ会議端末装置２２に送信する。
【０１９９】
次に、テレビ会議端末装置２２の広告受信部１２１１は、広告と領域情報「参加者個別表示領域」を受信する。そして、広告出力部１２１２は、領域情報「参加者個別表示領域」に従って、参加者が表示される各領域（ウィンドウ）に、受信された広告を出力する。広告の出力例は、図１９である。
【０２００】
なお、広告取得手段２１０９３は、各参加者の性別情報などに合わせて、広告を取得し、広告送信部１１１０は、各参加者の性別情報に合わせて、性別情報に応じて、異なる広告を、各参加者のテレビ会議端末装置２２に送信しても良い。かかる場合、性別決定手段２１０９２は、テレビ会議端末装置２２を識別する情報と、性別情報を対にして、取得し、少なくとも、メモリ上等に一時格納する。
【０２０１】
次に、会議が始まり、広告の出力が完了し、通常のテレビ会議モードになった、とする。通常のテレビ会議モードは、例えば、図９に示すような画面である。なお、現在、会議参加者は、例えば、４名である、とする。
【０２０２】
そして、テレビ会議中、ある参加者が、図２０に示すドキュメント（ファイル）２０１を、会議で議論するために出力指示した、とする。そして、入力情報受付部２２０１は、図２０に示すファイル２０１を取得する。なお、ファイル２０１は、ウェブページであり、入力情報受付部２２０１がウェブ上から取得したファイルである。なお、ファイル２０１は、入力情報の例である。次に、入力情報送信部２２０２は、図２０のファイル２０１を、情報処理装置２１に送信する。
【０２０３】
次に、情報処理装置２１のサーバ側入力情報受信部２１０１が、入力情報２０１を受信する。そして、サーバ側入力情報送信部２１０２は、受信された入力情報２０１を、他のテレビ会議端末装置２２に送信する。
【０２０４】
次に、用語取得手段２１０９１は、入力情報２０１に対して、形態素解析等の自然言語処理を行い、用語「パソコン」などを取得した、とする。
【０２０５】
次に、広告取得手段２１０９３は、用語「パソコン」に対応する「ＩＤ＝４」の広告（図６参照）を取得する。そして、広告送信部１１１０は、「ＩＤ＝４」の広告を、各テレビ会議端末装置２２に送信する。
【０２０６】
次に、各テレビ会議端末装置２２の広告受信部１２１１は、広告を受信する。そして、広告出力部１２１２は、例えば、受信された広告を、図２１に示すような態様で出力する。なお、具体例２において、広告出力条件は適用しなかった。つまり、情報処理装置２１は、広告出力条件を適用しなくても良い。特に、情報処理装置２１は、入力情報に対しては、広告出力条件を適用しないことは好適である。なお、情報処理装置２１は、広告出力条件を適用した上で、入力情報を用いて、適切な広告を選択しても良いことは言うまでもない。
【０２０７】
以上、本実施の形態によれば、テレビ会議端末装置２２の状況に応じた、適切なタイミングで広告を出力できる。また、本実施の形態によれば、会議内容や、会議参加者の属性に応じた広告を出力できる。
【０２０８】
なお、本実施の形態の具体例において、用語取得手段２１０９１は、会議情報が有するタイトル「パソコン運用会議」や会議内容「全社横断的にパソコンの運用を・・・」から、用語（例えば、「パソコン」）を取得し、広告取得手段２１０９３は、当該用語に対応する広告を取得しても良い。
【０２０９】
さらに、本実施の形態における情報処理装置を実現するソフトウェアは、以下のようなプログラムである。つまり、このプログラムは、コンピュータを、２以上の各テレビ会議端末装置が、記憶媒体に格納されている広告出力条件を満たすか否かを判断する判断部と、前記判断部が広告出力条件を満たすとの判断である場合、記憶媒体から出力する広告を取得する広告取得部と、前記２以上のテレビ会議端末装置のうち、いずれか1以上のテレビ会議端末装置に、前記広告取得部が取得した広告を送信する広告送信部として機能させるためのプログラムである。
【０２１０】
また、上記プログラムにおいて、前記広告取得部は、記憶媒体に格納されている会議内容情報から、用語を取得する用語取得手段と、前記用語取得手段が取得した用語を用いて、広告を取得する広告取得手段とを具備するものとして、コンピュータを機能させるためのプログラムであることは好適である。
【０２１１】
また、上記プログラムにおいて、前記広告情報は、用語と対応付けられた広告を有し、前記広告取得手段は、前記用語取得手段が取得した用語に対応する広告を取得するものとして、コンピュータを機能させるためのプログラムであることは好適である。
【０２１２】
また、上記プログラムにおいて、前記広告情報は、用語と対応付けられた広告を有し、前記広告取得手段は、前記用語取得手段が取得した用語に対応しない広告を取得するものとして、コンピュータを機能させるためのプログラムであることは好適である。
【０２１３】
また、上記プログラムにおいて、前記広告取得部は、会議参加者の性別を示す性別情報を1以上、取得する性別決定手段と、前記性別決定手段が取得した２以上の性別情報を用いて、広告を取得する広告取得手段とを具備するものとして、コンピュータを機能させるためのプログラムであることは好適である。
【０２１４】
また、上記プログラムにおいて、前記２以上のテレビ会議端末装置から映像を受信するサーバ側映像受信部をさらに具備し、前記性別決定手段は、前記サーバ側映像受信部が受信した２以上の各映像から、1以上の性別情報を取得するものとして、コンピュータを機能させるためのプログラムであることは好適である。
【０２１５】
さらに、上記プログラムにおいて、前記入力情報を受信するサーバ側入力情報受信部をさらに具備し、前記広告取得部は、前記入力情報から、用語を取得する用語取得手段と、前記用語取得手段が取得した用語を用いて、広告を取得する広告取得手段とを具備するものとして、コンピュータを機能させるためのプログラムであることは好適である。
【０２１６】
また、図２２は、本明細書で述べたプログラムを実行して、上述した実施の形態の情報処理装置等を実現するコンピュータの外観を示す。上述の実施の形態は、コンピュータハードウェア及びその上で実行されるコンピュータプログラムで実現され得る。図２２は、このコンピュータシステム３４０の概観図であり、図２３は、コンピュータシステム３４０の内部構成を示す図である。
【０２１７】
図２２において、コンピュータシステム３４０は、ＦＤドライブ３４１１、ＣＤ−ＲＯＭドライブ３４１２を含むコンピュータ３４１と、キーボード３４２と、マウス３４３と、モニタ３４４と、マイク３４５と、スピーカー３４６と、カメラ３４７を含む。
【０２１８】
図１４において、コンピュータ３４１は、ＦＤドライブ３４１１、ＣＤ−ＲＯＭドライブ３４１２に加えて、ＭＰＵ３４１３と、ＣＤ−ＲＯＭドライブ３４１２及びＦＤドライブ３４１１に接続されたバス３４１４と、ブートアッププログラム等のプログラムを記憶するためのＲＯＭ３４１５と、ＣＰＵ３４１３に接続され、アプリケーションプログラムの命令を一時的に記憶するとともに一時記憶空間を提供するためのＲＡＭ３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【０２１９】
コンピュータシステム３４０に、上述した実施の形態の情報処理装置等の機能を実行させるプログラムは、ＣＤ−ＲＯＭ３５０１、またはＦＤ３５０２に記憶されて、ＣＤ−ＲＯＭドライブ３４１２またはＦＤドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、ＣＤ−ＲＯＭ３５０１、ＦＤ３５０２またはネットワークから直接、ロードされても良い。
【０２２０】
プログラムは、コンピュータ３４１に、上述した実施の形態の情報処理装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【０２２１】
なお、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。
【０２２２】
また、上記プログラムを実行するコンピュータは、単数であってもよく、複数であってもよい。すなわち、集中処理を行ってもよく、あるいは分散処理を行ってもよい。
【０２２３】
また、上記各実施の形態において、一の装置に存在する２以上の通信手段（映像送信部や音声送信部など）は、物理的に一の媒体で実現されても良いことは言うまでもない。
【０２２４】
また、上記各実施の形態において、各処理（各機能）は、単一の装置（システム）によって集中処理されることによって実現されてもよく、あるいは、複数の装置によって分散処理されることによって実現されてもよい。
【０２２５】
本発明は、以上の実施の形態に限定されることなく、種々の変更が可能であり、それらも本発明の範囲内に包含されるものであることは言うまでもない。
【産業上の利用可能性】
【０２２６】
以上のように、本発明にかかるテレビ会議システムは、適切な場合に広告が出力できる、という効果を有し、テレビ会議システム等として有用である。
【図面の簡単な説明】
【０２２７】
【図１】実施の形態１におけるテレビ会議システム１の概念図
【図２】同テレビ会議システムのブロック図
【図３】同情報処理装置の動作について説明するフローチャート
【図４】同広告取得処理の動作について説明するフローチャート
【図５】同テレビ会議端末装置の動作について説明するフローチャート
【図６】同広告情報管理表を示す図
【図７】同広告出力条件管理表を示す図
【図８】同会議情報管理表を示す図
【図９】同広告の出力例を示す図
【図１０】同広告の出力例を示す図
【図１１】同広告の出力例を示す図
【図１２】同広告の出力例を示す図
【図１３】同会議情報の入力画面例を示す図
【図１４】実施の形態２におけるテレビ会議システムのブロック図
【図１５】同情報処理装置の動作について説明するフローチャート
【図１６】同広告取得処理の動作について説明するフローチャート
【図１７】同広告選択処理の動作について説明するフローチャート
【図１８】同テレビ会議端末装置の動作について説明するフローチャート
【図１９】同広告の出力例を示す図
【図２０】同入力情報受の出力例を示す図
【図２１】同広告の出力例を示す図
【図２２】同コンピュータシステムの概観図
【図２３】同コンピュータシステムの内部構成を示す図
【符号の説明】
【０２２８】
１、２  テレビ会議システム
１１、２１  情報処理装置
１２、２２  テレビ会議端末装置
１１０１  広告情報格納部
１１０２  広告出力条件格納部
１１０３  会議情報格納部
１１０４  サーバ側映像受信部
１１０５  サーバ側音声受信部
１１０６  サーバ側映像送信部
１１０７  サーバ側音声送信部
１１０８  判断部
１１０９、２１０９  広告取得部
１１１０  広告送信部
１１１１  接続部
１２０１  受付部
１２０２  指示情報蓄積部
１２０３  映像取得部
１２０４  音声取得部
１２０５  映像送信部
１２０６  音声送信部
１２０７  映像受信部
１２０８  映像出力部
１２０９  音声受信部
１２１０  音声出力部
１２１１  広告受信部
１２１２  広告出力部
１２１３  接続依頼部
２１０１  サーバ側入力情報受信部
２１０２  サーバ側入力情報送信部
２２０１  入力情報受付部
２２０２  入力情報送信部
２２０３  入力情報受信部
２２０４  入力情報出力部
２１０９１  用語取得手段
２１０９２  性別決定手段
２１０９３  広告取得手段
【図１】
0005188865.tif 000002
【図２】
0005188865.tif 000003
【図３】
0005188865.tif 000004
【図４】
0005188865.tif 000005
【図５】
0005188865.tif 000006
【図７】
0005188865.tif 000007
【図８】
0005188865.tif 000008
【図１４】
0005188865.tif 000009
【図１５】
0005188865.tif 000010
【図１６】
0005188865.tif 000011
【図１７】
0005188865.tif 000012
【図１８】
0005188865.tif 000013
【図２２】
0005188865.tif 000014
【図２３】
0005188865.tif 000015
【図６】
0005188865.tif 000016
【図９】
0005188865.tif 000017
【図１０】
0005188865.tif 000018
【図１１】
0005188865.tif 000019
【図１２】
0005188865.tif 000020
【図１３】
0005188865.tif 000021
【図１９】
0005188865.tif 000022
【図２０】
0005188865.tif 000023
【図２１】
0005188865.tif 000024